(57)【要約】      （修正有）【課題】大型の収容物を納めることができ、安定した形態の切妻屋根型紙容器用の付属容器を提供する。【解決手段】切妻屋根型紙容器用付属容器１は、正面板１１、右側面板１２、後面板１３、左側面板１４よりなる四角筒体１０の左右側面板の上端にフラップを設け、正面板１１には付属容器１の最上面を覆う蓋板１１１を介して差し込み片を有するようにした付属容器１において、該付属容器を容器の傾斜屋根上に水平に安定させるための折り込み片を、四角筒体１０の角部の対向する２箇所を下限として最大４箇所形成し、かつ左右側面板には下辺から切妻屋根型紙容器の傾斜屋根下の内側に挿入する結合片１４ｄ等を延長して有し、正面板１１と後面板１３には切妻屋根型紙容器の傾斜屋根に沿って折り曲がる折り返し片１３ｄ等を延長して構成する。なお、付属容器１の内部に水平板部を有する形態にすることもできる。【選択図】図１
0003150900.tif 000002
【実用新案登録請求の範囲】
【請求項１】
正面板、右側面板、後面板、左側面板よりなる四角筒体の左右側面板の上端にフラップを設け、後面板には四角筒体の内側に折り曲げして後面板に沿って下降する板部分と、切妻屋根型紙容器のトップシール上において水平面を形成する水平板部と、正面板に沿って立ち上がる板部分を延長して順に設け、正面板は付属容器の最上面を覆う蓋板とその延長部に差し込み片を有するようにした切妻屋根型紙容器用付属容器において、
該付属容器を切妻屋根型紙容器の傾斜屋根上に安定して水平に維持するための折り込み片を、その上辺が前記水平板部裏面に接するように、四角筒体の角部の対向する２箇所を下限として最大４箇所形成し、かつ四角筒体の左右側面板の下辺から切妻屋根型紙容器の傾斜屋根下の内側に挿入する結合片と、正面板および／または後面板の下辺からは切妻屋根型紙容器に装着した際に傾斜屋根に沿って折り曲がる折り返し片を、延長して有するようにしたことを特徴とする切妻屋根型紙容器用付属容器。
【請求項２】
正面板、右側面板、後面板、左側面板よりなる四角筒体の左右側面板の上端にフラップを設け、正面板または後面板は付属容器の最上面を覆う蓋板とその延長部分に差し込み片を有するようにした切妻屋根型紙容器用付属容器において、
該付属容器を切妻屋根型紙容器の傾斜屋根上に安定して水平に維持するための折り込み片を、四角筒体の角部の対向する２箇所を下限として最大４箇所形成し、かつ四角筒体の左右側面板の下辺から切妻屋根型紙容器の傾斜屋根下の内側に挿入する結合片と、正面板および／または後面板の下辺からは切妻屋根型紙容器に装着した際に傾斜屋根に沿って折り曲がる折り返し片を、延長して有するようにしたことを特徴とする切妻屋根型紙容器用付属容器。
【請求項３】
正面板と後面板の折り返し片には、切妻屋根型紙容器の口栓の輪郭形状の一部が形成されていることを特徴とする請求項１または請求項２記載の切妻屋根型紙容器用付属容器。
【請求項４】
折り込み片の上辺が、付属容器を切妻屋根型紙容器に係止した際にトップシールと同等高さ位置にあるようにしたことを特徴とする請求項１または請求項２記載の切妻屋根型紙容器用付属容器。
【考案の詳細な説明】
【技術分野】
【０００１】
本考案は、牛乳、酒類、果汁飲料等が収容される切妻屋根型紙容器の上端に冠着される付属容器に関し、特に「おつまみ」や「販売促進用小物」等の被収納物を封入する付属容器に関するものである。
【背景技術】
【０００２】
従来、切妻屋根型紙容器（ゲーベルトップ型紙容器）は主として牛乳、酒類、果汁飲料等の液体用容器として広範に使用されているが、頂部形状の特殊性から容器同士の積み重ねが難しく、また特殊な容器構造上から付属物を収容するスペースを一体に設ける構造とすることが難しい容器であった。そこで、別に製作された頂部に冠着するキャップ状付属容器が従来から種々検討されている。この付属容器は、主として、おまけ品やつまみや付属の小物など（以下、明細書では「収容物」と総称する）を販売商品の景品として添付するための容器として用いられる。
【０００３】
特許文献１は、切妻屋根型紙容器の頭部の口栓とは反対側の傾斜屋根上の狭い空間に収容物を収容しようとするものであるが、大型の収容物を収容することは困難となる。
特許文献２も、切妻屋根型紙容器のトップシール部と同等高さの付属容器に関し、口栓とは反対側領域の傾斜屋根上を収納空間とするものである。従って、この場合も大型の収容物を納めたり、収容量を拡大することは困難となる。
【０００４】
特許文献３は、切妻屋根型紙容器の抽出口栓側に第一空間とトップシールの反対側の第２空間からなる同様付属紙箱について提案している。しかし、同公報のものも空間がトップシール部で分断されるので、大型の収容物を収納するのは困難である。
特許文献４も、トップシールの反対側を収容空間としているが、やはり大型の収容物を納めることは困難である。
【０００５】
【特許文献１】特開平８−  １１８６６号公報
【特許文献２】特開２００５−  ３５５９９号公報
【特許文献３】特開２００２−３３７８５３号公報
【特許文献４】特開２００３−  １１９４８号公報
【考案の開示】
【考案が解決しようとする課題】
【０００６】
本考案は、かかる従来技術の問題点を解決しようとするものである。
その解決課題の第１は、切妻屋根型紙容器のトップシールの上面に広い空間を確保して大型または大量の収容物を格納できるようにすることであり、第２は、付属容器を切妻屋根型紙容器上に安定して保ち、かつ簡単な操作で強固な結合を確保すること、第３は、収容物を平面に維持して安定した収納形態を確保すること、である。
【課題を解決するための手段】
【０００７】
上記の目的を達成する本考案に係る切妻屋根型紙容器用付属容器の第１は、正面板、右側面板、後面板、左側面板よりなる四角筒体の左右側面板の上端にフラップを設け、後面板には四角筒体の内側に折り曲げして後面板に沿って下降する板部分と、切妻屋根型紙容器のトップシール上において水平面を形成する水平板部と、正面板に沿って立ち上がる板部分を延長して順に設け、正面板は付属容器の最上面を覆う蓋板とその延長部に差し込み片を有するようにした切妻屋根型紙容器用付属容器において、該付属容器を切妻屋根型紙容器の傾斜屋根上に安定して水平に維持するための折り込み片を、その上辺が前記水平板部裏面に接するように、四角筒体の角部の対向する２箇所を下限として最大４箇所形成し、かつ四角筒体の左右側面板の下辺から切妻屋根型紙容器の傾斜屋根下の内側に挿入する結合片と、正面板および／または後面板の下辺からは切妻屋根型紙容器に装着した際に傾斜屋根に沿って折り曲がる折り返し片を、延長して有するようにしたことを特徴とする切妻屋根型紙容器用付属容器、にある。
【０００８】
上記の目的を達成する本考案に係る切妻屋根型紙容器用付属容器の第２は、正面板、右側面板、後面板、左側面板よりなる四角筒体の左右側面板の上端にフラップを設け、正面板または後面板は付属容器の最上面を覆う蓋板とその延長部分に差し込み片を有するようにした切妻屋根型紙容器用付属容器において、該付属容器を切妻屋根型紙容器の傾斜屋根上に安定して水平に維持するための折り込み片を、四角筒体の角部の対向する２箇所を下限として最大４箇所形成し、かつ四角筒体の左右側面板の下辺から切妻屋根型紙容器の傾斜屋根下の内側に挿入する結合片と、正面板および／または後面板の下辺からは切妻屋根型紙容器に装着した際に傾斜屋根に沿って折り曲がる折り返し片を、延長して有するようにしたことを特徴とする切妻屋根型紙容器用付属容器、にある。
【０００９】
上記切妻屋根型紙容器用付属容器において、正面板と後面板の折り返し片には、切妻屋根型紙容器の口栓の輪郭形状の一部が形成されている、ようにすることができ、折り込み片の上辺が、付属容器を切妻屋根型紙容器に係止した際にトップシールと同等高さ位置にあるように、することもできる。
【考案の効果】
【００１０】
本考案に係る切妻屋根型紙容器用付属容器（以下、単に付属容器とも記載する）の効果の第１は、切妻屋根型紙容器のトップシールの上面に広い空間を確保して大型または大量の収容物を格納できることである。近年、販売、流通の競争激化に伴い、大型または大量のおまけ等が必要になってきており、この要求を満たすことができる。
効果の第２は、付属容器を切妻屋根型紙容器上に安定して保ち、かつ強固な結合が確保できることである。これにより、販売や流通過程における付属容器の荷崩れを防止でき、かつシュリンク包装等も容易になり、流通コストを低減できる。
効果の第３は、付属容器と切妻屋根型紙容器の結合が付属容器を押しつけるだけのワンタッチで可能であり、使い勝手がよいことである。
効果の第４は、特に第１形態で可能であるが、収容物を水平面に維持して安定した収納形態を確保できることである。これにより、収容物が安定して安全に保護され、顧客が商品を購入した後で収容物を見た際の満足感を高めることができる。
またさらに、第１形態、第２形態のいずれも製函工程が容易になされるように設計されている。
【考案を実施するための最良の形態】
【００１１】
図１は、本考案に係る第１形態の付属容器を示す斜視図、図２は、付属容器の使用方法を示す図、図３は、付属容器の第１形態のブランク展開図、図４は、付属容器の第２形態のブランク展開図、図５は、付属容器の第１形態を組み立てする状態を示す図、図６は、実施例のブランク展開図、である。
【００１２】
図１は、本考案に係る第１形態の付属容器を示す斜視図であって、図１（Ａ）は外観斜視図、図１（Ｂ）は内部構造の一部を含む斜視図、である。図２は、付属容器の使用方法を示す図である。以下、まず図１と図２の双方を参照して説明する。
本考案に係る付属容器１は、図２のように切妻屋根型紙容器２の頭部に係止して使用する紙容器であり、付属容器１の内部には、おまけ品や景品が収納される。付属容器１の概略構造は本体である四角筒体１０と蓋板１１１、折り込み片５、結合片１２ｄ，１４ｄ、折り返し片１１ｄ，１３ｄ、フラップ１２ｆ，１４ｆ等からなる構成となっている。
【００１３】
付属容器１は、板紙からなる正面板１１と右側面板１２、後面板１３と左側面板１４を有し、左右側面板の上端には、フラップ１２ｆ，１４ｆを有している。
後面板１３は、その延長部分に、四角筒体１０の内側を後面板１３に沿って下降する板部分１３１と、切妻屋根型紙容器２のトップシール２１上において水平平面を形成する水平板部１３２と、正面板１１に沿って四角筒体１０内で立ち上がる板部分１３３を順に有している。水平板部１３２は、通常、切妻屋根型紙容器２のトップシール２１の頂部にその裏面が接する程度の高さ位置に置かれることになる。板部分１３３と正面板１１の間は、通常は接着しないが接着してもよいものである。
一方、正面板１１は、その延長部分に付属容器１の最上面を覆う蓋板１１１を有し、さらにその先端に差し込み片１１２を有するようにされている。
前記フラップ１２ｆ，１４ｆは蓋板１１１の下側に折り込まれ、差し込み片１１２は、後面板１３とフラップ１２ｆ，１４ｆの間に差し込まれる。
以上の説明から明らかなように、正面板１１と後面板１３の役割は入れ替えても構わないものであるが、請求項１では、後面板１３の延長した部分に水平板部１３２等を有するようにされている。
【００１４】
本考案の付属容器の特徴の１は、該付属容器１を切妻屋根型紙容器２の傾斜屋根２３上に乗せた場合に、付属容器１の姿勢を安定させかつ前記水平板部１３２を水平に維持するための折り込み片５（５ａ，５ｂ，５ｃ，５ｄ）を、付属容器１の角部に有していることにある。折り込み片５は、四角筒体１０の角部（各面の接続部）に、筒体の長さ方向に直交して平行に２本の切り込み線ｋ１，ｋ２を設け、２本の切り込み線ｋ１，ｋ２間の板部分を筒体の内側に折り込み（押し込み）した状態のものである（図３参照）。
各折り込み片５は、折り込みした状態で、角度α（図１（Ａ））が９０°になるようにされている。
【００１５】
折り込み片５の数は、角部の対向する２箇所を下限として最大４箇所形成することができる。１箇所では却って不安定な状態になるので最低２箇所形成する。２箇所の場合は、加工が比較的に困難な糊代部を避けて対向する２つの角部に形成することになる。
３箇所の場合も糊代部を避けるようにする。図１（Ａ）の場合、４箇所の折り込み片５ａ，５ｂ，５ｃ，５ｄを有しているが、折り込み片５ｄは背後になるので図示されていない。４箇所の場合は糊代部にも形成することになる。
【００１６】
この折り込み片５の下側の切り込み線ｋ２は、切妻屋根型紙容器２の傾斜屋根２３上に停止するようにされ、上側の切り込み線ｋ１は折り込み片５の上辺が、前記水平板部１３２を、トップシールの頂部と同等高さの平面に維持する役割を行なうようにされている。当然のことながら、各２本の切り込み線ｋ１，ｋ２は、四角筒体１０の下辺１０ｂから同一高さ位置に形成され、２本の切り込み線ｋ１，ｋ２間の間隔ｈは同一にされる。
【００１７】
従って、２本の切り込み線ｋ１，ｋ２のうち、上側の切り込み線ｋ１は、付属容器１を切妻屋根型紙容器２に係止した際のトップシール２１の上面の高さ位置にするのが好ましい。その場合には折り込み片５の上面とトップシール２１の上面が前記水平板部１１２を水平位置を保つために寄与し、かつ収容物の重さを支える機能を行なうからである。
一方、下側の切り込み線ｋ２は、切妻屋根型紙容器２の傾斜屋根のいずれかの位置に接するように形成する。２本の切り込み線ｋ１，ｋ２の間隔ｈは、切妻屋根型紙容器２の傾斜屋根２３の高さｈ１とトップシール２１の高さｈ２の合計高さＨよりは小さい値となる（図２参照）。好ましくは、合計高さＨの０．４から０．８程度の値となる。
【００１８】
付属容器１は、四角筒体１０の下辺１０ｂ（１１ｂ，１２ｂ，１３ｂ，１４ｂ）の延長部分に、結合片１２ｄ，１４ｄと折り返し片１１ｄ，１３ｄを有している。
図１では、結合片１２ｄと折り返し片１１ｄは見えていない。左右の側面板１２，１４の下辺延長部分に付けられた結合片１２ｄと１４ｄは、切妻屋根型紙容器２のトップシール２１直下にできる窪んだ部分の内側に挿入される。結合片１２ｄと１４ｄは切妻屋根型紙容器２に結合する前の状態では、四角筒体１０の内側に折り曲げられた状態にされており、切妻屋根型紙容器２の上方から付属容器を押し付けるだけの簡単な操作で容器２との結合が得られる。厚板紙は比較的強い曲げ弾性を有するので、付属容器１を切妻屋根型紙容器２に固定するのに有効に機能する。厚板紙である結合片１２ｄ，１４ｄの裏側に弾性部材を貼着しておいてもよい。
正面板と後面板の折り返し片１１ｄと１３ｄの双方を有すれば、付属容器１の正面と後面を間違えても装着できるが、口栓２４側になる正面板１１にのみ折り返し片１１ｄを設けてもよい。折り返し片１１ｄ，１３ｄには、口栓２４の輪郭ｐを打ち抜いておけば、折り返し片を口栓２４の下側に納めておくことができる。折り返し片１１ｄと１３ｄも使用状態では、四角筒体１０の内側に折り曲げられた状態にされている。
【００１９】
図３は、付属容器の第１形態のブランク展開図、図４は、同第２形態のブランク展開図である。いずれも実線は切断線、鎖線は折り曲げ線を示している。
第１形態では、後面板１３には四角筒体１０の内側に折り曲げして後面板に沿って下降する板部分１３１と、切妻屋根型紙容器２のトップシール２１上において水平平面を形成する水平板部１３２と、正面板１１に沿って立ち上がる板部分１３３を延長して順に設けている。正面板１１には付属容器１の最上面を覆う蓋板１１１を設け、さらにその先端に差し込み片１１２を有するようにしている。なお、符号１５の部分は糊代部を示す。左右側面板１２，１４の延長部分にはフラップ１２ｆ，１４ｆが設けられている。
【００２０】
折り込み片５（５ａ，５ｂ，５ｃ，５ｄ）は、四角筒体１０の下辺１０ｂ近くの角部に２本の切り込み線ｋ１，ｋ２を形成して設ける。また、下辺１０ｂの延長部分に、結合片１２ｄ，１４ｄと折り返し片１１ｄ，１３ｄを形成する。
折り込み片５の切り込み線ｋ１，ｋ２間の間隔（高さ）ｈは、前記の条件が必要であるが、通常２０〜３０ｍｍ程度とする。切り込み線ｋ１，ｋ２の長さ（幅）ｗは、通常３５〜５０ｍｍ程度となる。ｗをあまり大きくし、切り込み線ｋ２を下辺１０ｂに接近させ過ぎると切妻屋根型紙容器２と結合した際に、折り返し片１１ｄ，１３ｄと接触することになる。
【００２１】
結合片１２ｄ，１４ｄの斜めの辺と四角筒体の下辺１０ｂとの間の角度βは、結合する切妻屋根型紙容器２の傾斜屋根２３の形状や傾斜角度を考慮して設計する必要がある。この角度βが円滑な結合や結合強度に影響する要素となる。通常、２０°から３０°の範囲となる。同様に、折り返し片１１ｄ，１３ｄの角度γも前記切り込み線ｋ２の幅ｗや高さ位置を考慮して設計する必要がある。通常、３０°から４０°の範囲となる。
【００２２】
同第２形態は、図４のように、図３の後面板１３において板部分１３１と水平板部１３２、板部分１３３を省略した形態である。水平板部１３２が無いと収容物を水平に保ち難いように見えるが、折り込み片５があれば、裁断したまたは舟形にした四角形状の板紙を内部に挿入すれば（落とし込めば）水平板部を形成できる。水平板を必要としない収容物の場合もある。図４では、折り込み片５が５ｂと５ｄの２箇所のみ図示されているが、この数は前記のように４箇所までの数で調整できる。
結合片１２ｄ，１４ｄは双方あることが必須であるが、折り返し片１１ｄは省略しても良く、また１３ｄと双方設けても良い。
【００２３】
図５は、付属容器の第１形態を組み立てする状態を示す図である。図５（Ａ）は組み立て途中を、図５（Ｂ）は完成した状態を示している。
ブランクを打ち抜いた後は、正面板１１を前面にして、側面板１４の背面に糊代１５を糊付けして四角形状の筒体を組み立てする。折り込み片５（５ａ，５ｂ，５ｃ，５ｄ）を四角筒体１０の中に折り込み（押し込み）した後、後面板１３の延長部分を四角筒体１０の内側に折り曲げして後面板１３の内面となる板部１３１と水平板部１３２を形成する。水平板部１３２は折り込み片５の上に乗るようにする。板部１３３は正面板１１の裏面に接着するか、接着しないで折り曲げたままの状態にしておく。
【００２４】
折り返し辺１１ｄと１３ｄ、結合片１２ｄと１４ｄは四角筒体１０の内側に適度に折り曲げた状態にしておいてもよい。この状態で、収容物を付属容器１に納めてから切妻屋根型紙容器２に押し付けるだけで切妻屋根型紙容器２に固定することが可能である。切妻屋根型紙容器２に固定した後に、収容物を充填してもよい。
紙板材料としては、３００ｇ／ｍ2 〜５００ｇ／ｍ2 程度のものを使用できる。
【実施例】
【００２５】
紙板材料としては、３５０ｇ／ｍ2 の厚板紙を使用して、図６に図示するブランクを打ち抜いた。なお、図中の図３に対応する符号以外の数値は実寸寸法（単位ｍｍ）である。角度βを２５．６７°とし、角度γを３２．６４°とした。また、切り込み線ｋ１，ｋ２の幅ｗを４０ｍｍ、切り込み線ｋ１，ｋ２間の間隔ｈを２７ｍｍとした。
正面板１１を前面にして、糊代１５を側面板１４の裏面に糊付けして四角筒体１０を形成した。３個の折り込み片５（５ａ，５ｂ，５ｄ）を四角筒体１０の中に押し込みした後、後面板１３の延長部分を四角筒体１０の内側に折り曲げして後面板１３の内面となる板部１３１と水平板部１３２を形成した。水平板部１３２は折り込み片５の上に乗るようにし、板部１３３は正面板１１の裏面に折り曲げたままの状態にし糊付けしないでおいた。  これにより付属容器１が完成した。この付属容器１に収容物を納めて、蓋板１１１を被せてから切妻屋根型紙容器２に乗せて押し付けると簡単に結合させることができた。
【図面の簡単な説明】
【００２６】
【図１】本考案に係る第１形態の付属容器を示す斜視図である。
【図２】付属容器の使用方法を示す図である。
【図３】付属容器の第１形態のブランク展開図である。
【図４】付属容器の第２形態のブランク展開図である。
【図５】付属容器の第１形態を組み立てする状態を示す図である。
【図６】実施例のブランク展開図である。
【符号の説明】
【００２７】
１    付属容器
２    切妻屋根型紙容器
５（５ａ，５ｂ，５ｃ，５ｄ）  折り込み片
１０    四角筒体
１１    正面板
１２    右側面板
１３    後面板
１４    左側面板
２１    トップシール
２３    傾斜屋根
１１ｄ，１３ｄ    折り返し片
１２ｄ，１４ｄ    結合片
１２ｆ，１４ｆ    フラップ
１１１    蓋板
１３１    水平板部
【図１】
0003150900.tif 000003
【図２】
0003150900.tif 000004
【図３】
0003150900.tif 000005
【図４】
0003150900.tif 000006
【図５】
0003150900.tif 000007
【図６】
0003150900.tif 000008